(57)【要約】【課題】対物レンズ４１の下側に配されている立上げミラー４０の部分に光軸調整の機構を盛込んだ場合における薄型化の阻害要因を排除し、しかも部品点数が少なく、簡潔で安価な光軸の調整機構を有する光ピックアップを提供する。【解決手段】可動ブロック１６上の立上げミラー４０よりも光軸側に折返しミラー３７を設けるとともに、この折返しミラー３７を保持するホルダ６３を取付け板５３に対して回動調整可能にし、これによって光軸の振れ角の調整を行ない、さらに上記取付け板５３のたわみ変形を利用して光軸のあおり調整を行ない、対物レンズ４１から出射された光が光ディスク１３の記録面に対して常に垂直に入射するようにし、光軸倒れを無くす。【選択図】  図９
2005004814.tif 000002
【特許請求の範囲】
【請求項１】
ディスク状記録媒体に対して光を照射して信号の記録および／または再生を行なう光ピックアップ装置において、
光源からの光を前記ディスク状記録媒体に対して垂直に照射する立上げミラーよりも光源側であって光軸上に調整ミラーを設け、該調整ミラーによって前記ディスク状記録媒体に対する光軸の角度を調整することを特徴とする光ピックアップ装置。
【請求項２】
前記調整ミラーが前記ディスク状記録媒体の表面とほぼ平行な平面上において光軸の方向を変換するミラーであることを特徴とする請求項１に記載の光ピックアップ装置。
【請求項３】
前記調整ミラーが前記ディスク状記録媒体の表面とほぼ平行な平面上において光軸の方向を変換する折返しミラーであることを特徴とする請求項１に記載の光ピックアップ装置。
【請求項４】
前記調整ミラーが、前記立上げミラーおよび対物レンズを搭載しかつ前記ディスク状記録媒体の半径方向に移動する可動ブロック上に設けられることを特徴とする請求項１に記載の光ピックアップ装置。
【請求項５】
前記調整ミラーが光軸のあおり角と振れ角とをそれぞれ調整する調整機構を有することを特徴とする請求項１に記載の光ピックアップ装置。
【請求項６】
前記調整ミラーによる光軸のあおり角の調整が、この調整ミラーを取付ける板ばねから成る取付け板のたわみ変形の変形量を調整することにより行なわれることを特徴とする請求項１に記載の光ピックアップ装置。
【請求項７】
前記調整ミラーによる光軸の振れ角の調整が、この調整ミラーを保持するホルダを前記取付け板に対して回動調整することにより行なわれることを特徴とする請求項６に記載の光ピックアップ装置。
【請求項８】
前記調整ミラーのあおり角と振れ角とをそれぞれ調整した状態で前記調整ミラーが接着剤によって接着されて固定されることを特徴とする請求項５に記載の光ピックアップ装置。
【請求項９】
ディスク状記録媒体に対して光を照射して信号の記録および／または再生を行なう光ピックアップ装置において、
前記ディスク状記録媒体に対して照射する光を発生する光源を備える固定ブロックと、
前記ディスク状記録媒体に対して照射する光を前記ディスク状記録媒体に対して垂直になるように反射する立上げミラーと、該立上げミラーで反射された光が前記ディスク状記録媒体に合焦するように屈折させる対物レンズを有し、前記ディスク状記録媒体の表面に沿ってほぼ平行に半径方向に移動する可動ブロックと、
前記固定ブロックと前記可動ブロックの内の何れかに搭載され、前記ディスク状記録媒体に照射される光の角度を調整する調整ミラーと、
を有する光ピックアップ装置。
【請求項１０】
前記調整ミラーが前記可動ブロック上に搭載されるとともに、光軸のあおり角と振れ角とを調整する調整機構を有することを特徴とする請求項９に記載の光ピックアップ装置。
【請求項１１】
前記対物レンズの球面収差補正手段を前記固定ブロックまたは前記可動ブロックに設けることを特徴とする請求項９に記載の光ピックアップ装置。
【請求項１２】
前記球面収差補正手段が液晶素子から構成され、前記可動ブロック上に設けられることを特徴とする請求項１１に記載の光ピックアップ装置。
【請求項１３】
光ピックアップによってディスク状記録媒体に対して光を照射して信号の記録および／または再生を行なう記録再生装置において、
光源からの光を前記ディスク状記録媒体に対して垂直に照射する立上げミラーよりも光源側であって光軸上に調整ミラーを設け、該調整ミラーによって前記ディスク状記録媒体に対する光軸の角度を調整することを特徴とするディスク式記録再生装置
【請求項１４】
光ピックアップによってディスク状記録媒体に対して光を照射して信号の記録および／または再生を行なう記録再生装置において、
前記ディスク状記録媒体に対して照射する光を発生する光源を備える固定ブロックと、
前記ディスク状記録媒体に対して照射する光を前記ディスク状記録媒体に対して垂直になるように反射する立上げミラーと、該立上げミラーで反射された光が前記ディスク状記録媒体に合焦するように屈折させる対物レンズを有し、前記ディスク状記録媒体の表面に沿ってほぼ平行に半径方向に移動する可動ブロックと、
前記固定ブロックと前記可動ブロックの内の何れかに搭載され、前記ディスク状記録媒体に照射される光の角度を調整する調整ミラーと、
を有するディスク式記録再生装置。
【発明の詳細な説明】
【０００１】
【発明の属する技術分野】
本発明は光ピックアップ装置およびディスク式記録再生装置に係り、とくにディスク状記録媒体に対して光を照射して信号の記録および／または再生を行なう光ピックアップ装置、およびこのような光ピックアップ装置を用いたディスク式記録再生装置に関する。
【０００２】
【従来の技術】
ディスク状記録媒体の表面に信号を書込んだり読出したりするディスク式記録再生装置が広く用いられている。この種のディスク式記録再生装置は、レーザ光源から出射されたレーザビームをビームスプリッタを通過させた後に液晶パネル、１／４波長板を通して対物レンズによってディスク状記録媒体の記録再生面に集光させるとともに、このディスク状記録媒体の記録再生面で反射された光を対物レンズ、１／４波長板、液晶パネルを通して元のビームスプリッタに導き、ここで入射光とは直角な方向に分離して光検出器によって検出し、この検出信号によって信号の読出しを行なうものである。
【０００３】
とくにＤＶＤ（Ｄｉｇｉｔａｌ  Ｖｅｒｓａｔｉｌｅ  Ｄｉｓｃ）は、大容量のデジタル信号を記録することが可能であって、ＣＤ（Ｃｏｍｐａｃｔ  Ｄｉｓｃ）と同じ直径１２ｃｍのディスクに動画やコンピュータ情報等のデジタル情報をＣＤの６〜８倍の記録密度で記録できるようにしている。なおこのような高密度記録を達成するために、ＤＶＤにおいては種々の工夫が凝らされており、記録容量を高めるためにレーザ光をＣＤに使われる７８０ｎｍよりも短い６５０ｎｍあるいは６３５ｎｍの波長のレーザ光を使用するとともに、対物レンズの開口数ＮＡをＣＤの０．４５よりも大きな０．６とし、ディスクの片面に５Ｇバイトの高密度記録を達成している。
【０００４】
このようにＤＶＤは上述のように、ＣＤに比べてはるかに高密度記録を行なうようにしているために、ディスクの表面に書込まれたピット情報を再生するためのレーザビームのスポット径をＣＤに比べてかなり小さくする必要があるとともに、スポットの光軸がディスクの表面に対して垂直になるように入射させる必要がある。そこで従来は、対物レンズの下側に配されている立上げミラーの取付け部にあおり角の調整機構と振れ角の調整機構とを設けるようにしており、これによって立上げミラーで反射された光がディスクの表面に対して垂直になるようにしている。
【０００５】
【特許文献１】特開平１０−２６９６１１号公報
【発明が解決しようとする課題】
ディスク状記録媒体の記録面に対して読書き用の入射光が垂直に入射するようにするために、立上げミラーに調整機構を設ける構造は、光ピックアップを薄型化する場合に不利になる。すなわち立上げミラーの下側にこのミラーのあおり角と振れ角とをそれぞれ調整する機構を設けるようにすると、とくに対物レンズの下側の部分の機構が複雑になるとともに組立てが非常に困難になる。このことはとくに光ピックアップの薄型化を図る場合に問題となり、あるいはまた薄型化を阻害する原因になる。
【０００６】
本発明はこのような問題点に鑑みてなされたものであって、光ピックアップのとくに対物レンズの下側の位置における機構を複雑にすることがなく、これによって調整が容易で光ピックアップの薄型化を可能にするようにした光ピックアップ装置およびディスク式記録再生装置を提供することを目的とする。
【０００７】
【課題を解決するための手段】
本願の主要な発明は、
ディスク状記録媒体に対して光を照射して信号の記録および／または再生を行なう光ピックアップ装置において、
光源からの光を前記ディスク状記録媒体に対して垂直に照射する立上げミラーよりも光源側であって光軸上に調整ミラーを設け、該調整ミラーによって前記ディスク状記録媒体に対する光軸の角度を調整することを特徴とする光ピックアップ装置に関するものである。
【０００８】
ここで前記調整ミラーが前記ディスク状記録媒体の表面とほぼ平行な平面上において光軸の方向を変換するミラーであることが好ましい。また前記調整ミラーが前記ディスク状記録媒体の表面とほぼ平行な平面上において光軸の方向を変換する折返しミラーであることが好ましい。また前記調整ミラーが、前記立上げミラーおよび対物レンズを搭載しかつ前記ディスク状記録媒体の半径方向に移動する可動ブロック上に設けられることが好ましい。
【０００９】
また前記調整ミラーが光軸のあおり角と振れ角とをそれぞれ調整する調整機構を有することが好ましい。また前記調整ミラーによる光軸のあおり角の調整が、この調整ミラーを取付ける板ばねから成る取付け板のたわみ変形の変形量を調整することにより行なわれることが好ましい。また前記調整ミラーによる光軸の振れ角の調整が、この調整ミラーを保持するホルダを前記取付け板に対して回動調整することにより行なわれることが好ましい。また前記調整ミラーのあおり角と振れ角とをそれぞれ調整した状態で前記調整ミラーが接着剤によって接着されて固定されることが好ましい。
【００１０】
本願の別の主要な発明は、
ディスク状記録媒体に対して光を照射して信号の記録および／または再生を行なう光ピックアップ装置において、
前記ディスク状記録媒体に対して照射する光を発生する光源を備える固定ブロックと、
前記ディスク状記録媒体に対して照射する光を前記ディスク状記録媒体に対して垂直になるように反射する立上げミラーと、該立上げミラーで反射された光が前記ディスク状記録媒体に合焦するように屈折させる対物レンズを有し、前記ディスク状記録媒体の表面に沿ってほぼ平行に半径方向に移動する可動ブロックと、
前記固定ブロックと前記可動ブロックの内の何れかに搭載され、前記ディスク状記録媒体に照射される光の角度を調整する調整ミラーと、
を有する光ピックアップ装置に関するものである。
【００１１】
ここで前記調整ミラーが前記可動ブロック上に搭載されるとともに、光軸のあおり角と振れ角とを調整する調整機構を有することが好ましい。また前記対物レンズの球面収差補正手段を前記固定ブロックまたは前記可動ブロックに設けることが好ましい。また前記球面収差補正手段が液晶素子から構成され、前記可動ブロック上に設けられることが好ましい。
【００１２】
記録再生装置に関する主要な発明は、
光ピックアップによってディスク状記録媒体に対して光を照射して信号の記録および／または再生を行なう記録再生装置において、
光源からの光を前記ディスク状記録媒体に対して垂直に照射する立上げミラーよりも光源側であって光軸上に調整ミラーを設け、該調整ミラーによって前記ディスク状記録媒体に対する光軸の角度を調整することを特徴とするディスク式記録再生装置に関するものである。
【００１３】
記録再生装置に関する別の主要な発明は、
光ピックアップによってディスク状記録媒体に対して光を照射して信号の記録および／または再生を行なう記録再生装置において、
前記ディスク状記録媒体に対して照射する光を発生する光源を備える固定ブロックと、
前記ディスク状記録媒体に対して照射する光を前記ディスク状記録媒体に対して垂直になるように反射する立上げミラーと、該立上げミラーで反射された光が前記ディスク状記録媒体に合焦するように屈折させる対物レンズを有し、前記ディスク状記録媒体の表面に沿ってほぼ平行に半径方向に移動する可動ブロックと、
前記固定ブロックと前記可動ブロックの内の何れかに搭載され、前記ディスク状記録媒体に照射される光の角度を調整する調整ミラーと、
を有するディスク式記録再生装置に関するものである。
【００１４】
本願発明の好ましい態様は、対物レンズを搭載した可動ブロックと、レーザ光源を搭載した固定ブロックとに分かれている分離光学系を用いた光ピックアップ装置を有するディスク式記録および／または再生装置において、上記可動ブロック上の対物レンズの下に設けられる立上げミラー以外に別の折返しミラーを設けるようにし、この折返しミラーに光軸を調整する機構を設けるようにしたものである。ここで上記の折返しミラーおよび光軸を調整する機構を可動ブロックに搭載して光軸の角度調整を行なうことが好ましい。なお光軸の調整機構は板ばねとねじを用いた簡潔な機構とし、しかも微調整を可能にするものである。なおこのような調整機構は調整後に接着剤で固定することになる。
【００１５】
ディスク状記録媒体に対する光ピックアップによる信号の書込みあるいは読出しのためのピックアップ装置は、構成部品数が多くなる傾向にあり、このために可動ブロックと固定ブロックに分離される分離光学系になる場合が多いが、光軸調整はレーザ以外にもミラーまたはそれに類する部品での調整が必要になる。本願発明の上記の好ましい態様は、部品点数や設備コストを抑えながらしかも光軸調整機構の搭載を可能にし、対物レンズの下側のスペースに光軸調整機構を盛込む必要を無くし、これによって薄型化を前提とするモデルでも非常に有効な光軸調整機構になる。しかも部品点数が少なく、構造が簡潔で、安価に光軸の調整機構を提供できるようになる。
【００１６】
【発明の実施の形態】
以下本願発明を図示の実施の形態によって説明する。本実施の形態はＤＶＤ（Ｄｉｇｉｔａｌ  Ｖｅｒｓａｔｉｌｅ  Ｄｉｓｃ）を用いるディスクプレーヤにおける光ピックアップに関する。
【００１７】
図１はこのディスクプレーヤの全体の概略を示すものであって、シャーシ１０のほぼ中央部にはセンタスピンドル１１が垂直に立設されている。センタスピンドル１１はその下側に配されている直流モータによってダイレクトに回転駆動される。そしてセンタスピンドル１１には同軸状にターンテーブル１２が設けられ、このターンテーブル１２によって光ディスク１３（図２参照）を回転駆動させるようにしている。そして上記ターンテーブル１２に対してその両側に固定ブロック１５と可動ブロック１６とが配され、これらのブロック１５、１６によって光ピックアップ装置が構成される。
【００１８】
光ピックアップの構成について図２により説明する。ターンテーブル１２に対してその右側に位置する固定ブロック１５上には半導体レーザ２０、コリメータレンズ２１、液晶アッテネータ２２、アナモプリズム２３、半波長板２４、グレーティング２５が半導体レーザ２０の光軸に沿って出射方向にこの順で配列されている。
【００１９】
上記グレーティング２５の前端側にはビームスプリッタ２７が配されるとともに、このビームスプリッタ２７の出射側に折返しミラー２８が配されている。また固定ブロック１５上には上記アナモプリズム２３の側部にコリメータレンズ３０が配され、コリメータレンズ３０の前方にホログラム素子３１、シリンドリカルレンズ３２、光検出器（フォトダイオード）３３がこの順で配されている。
【００２０】
これに対してターンテーブル１２に対して左側に位置する可動ブロック１６上には折返しミラー３７、ビームエキスパンダ３８、１／４波長板３９、立上げミラー４０が配され、立上げミラー４０に対して図２において紙面に垂直に上方位置には図１および図９に示す対物レンズ４１が配されている。
【００２１】
このような部品を搭載した可動ブロック１６は図３および図４に示すようにその両側において一対のガイドロッド４５、４６によって摺動可能に支持される。そしてガイドロッド４６の側部に設けられているモータ４７の出力軸に固着された送りねじ４８によって可動ブロック１６がターンテーブル１２上の光ディスク１３に対して半径方向に移動されるようになっている。すなわち送りねじ４８は可動ブロック１６に固着された係合板４９上の係合爪と係合し、これによってモータ４７および送りねじ４８によって送り動作が行なわれるようになっている。
【００２２】
次に折返しミラー３７による光軸の角度調整の機構について説明する。折返しミラー３７を取付けるために図５〜図７に示す取付け板５３が設けられている。取付け板５３は板ばねから構成されるとともに、その一端に設けられている固定部５４にビス挿通孔５５が形成され、このビス挿通孔５５を挿通するビス５６が図８に示すように可動ブロック１６の雌ねじ孔に螺着され、これによって取付け板５３が可動ブロック１６に固着されるようになっている。しかも取付け板５３の固定部５４の根元側の部分には互いに対向するようにその両側から切込み５７が形成され、これによって取付け板５３は切込み５７の部分で変形可能になっている。
【００２３】
また取付け板５３には小孔５８が形成され、この小孔５８が後述するホルダ６３の上面に形成された支点ピン６４を受入れ、これによってホルダ６３を支点ピン６４を中心として回動自在に支持するようにしている。また取付け板５３には長孔５９が形成され、この長孔５９を挿通する固定ねじ６０がホルダ６３の雌ねじ孔に螺着されるようになっている。すなわちホルダ６３を支点ピン６４を中心として適正な位置に回動させた状態で固定ねじ６０を雌ねじ孔に螺着して固定するようになっている。また取付け板５３の固定部５４とは反対側の部分には雌ねじ孔６１が形成され、この雌ねじ孔６１に調整ねじ６２を螺着するとともにその先端部を可動ブロック１６の当接面６７に突当て、これによって取付け板５３を図８に示すように変形させ、折返しミラー３７のあおり角の調整を行なうようにしている。
【００２４】
取付け板５３に取付けられるホルダ６３は図５に示すように段部６５を備え、この段部６５の部分で折返しミラー３７を保持するようにしている。またホルダ６３にはその側端に突片６６が形成され、この突片６６を持ってホルダ６３を支点ピン６４を中心として回動させるようにしている。
【００２５】
次に以上のような構成になるこのディスクプレーヤの動作を説明する。図２に示す半導体レーザ２０から出射されたレーザ光はコリメータレンズ２１で色消しおよび温度補償が行なわれ、この後液晶アッテネータ２２で再生のためのレーザノイズの低減を行なう。そしてアナモプリズム２３で色消しして光利用効率の向上と光強度分布の補正とが行なわれる。そしてこの後半波長板２４を通過し、さらにグレーティング２５でトラッキング用の３ビームを生成し、この後ビームスプリッタ２７を真直ぐに通過し、折返しミラー２８で９０度その方向が変更される。
【００２６】
この後レーザ光は可動ブロック１６側の折返しミラー３７で直角に光路を変更され、ビームエキスパンダ３８において後述するように屈折率の補正を行なう。そして１／４波長板３９を通過した後に、立上げミラー４０によって垂直方向上方に光路を変更され、対物レンズ４１によって焦点を絞り、光ディスク１３の記録面にスポットを合焦させる。
【００２７】
光ディスク１３の表面で反射された光は上記とは逆に、対物レンズ４１から立上げミラー４０に戻され、ここで水平に光軸が変更される。この後１／４波長板３９およびビームエキスパンダ３８を通り、さらに折返しミラー３７で光路を９０度変更する。そしてこの後固定ブロック１６側の折返しミラー２８で光路を変更し、ビームスプリッタ２７によって光源側とは９０度異なる方向に反射される。そしてビームスプリッタ２７の先端側の反射面で反射された後に、コリメータレンズ３０によって色消しと温度補償を行ない、ホログラム素子３１でフォーカスエラー検出用ビームを成形し、シリンダリカルレンズ３２でトラッキングエラー検出のための光検出器３３上のスポット形状を補正する。そしてこの後光検出器３３に入射されて信号の読取りが行なわれる。
【００２８】
ここでとくに可動ブロック１６上に搭載されているビームエキスパンダ３８は液晶パネルであって、そのガラス基板で屈折率異方性を持つ液晶分子を所定の向に配向している。そして対向する両側のガラス基板の内の一方の基板に同心円状の透明電極が形成され、反対側のガラス基板に共通電極を形成している。
【００２９】
このような液晶パネルから成るビームエキスパンダ３８の上記の各電極にそれぞれ駆動電圧を印加すると、印加される電圧による電界に従って液晶分子の配向が偏倚される。これにより液晶パネルを通過する光束の進行方向に垂直な断面内での屈折率分布を任意に設定することができ、光束の波面の位相を分割領域毎に制御できる。すなわちビームエキスパンダ３８が屈折率補正手段として用いられる。
【００３０】
ビームエキスパンダ３８を用いる理由は、光ディスク１３の表面に形成されている保護層によって記録面が保護層の厚み分光軸方向にずれるのを補正することにある。あるいはまた光ディスク１３に厚さ方向に複数層に記録面を構成する場合に、目的とする記録面に正しく対物レンズ４１から出射したビームが合焦するように補正する。
【００３１】
次に対物レンズ４１によって絞られた光が光ディスク１３の記録面に対して垂直に入射するように光軸の調整を行なう動作を図６〜図９によって説明する。まず光軸のあおり角の調整は調整ねじ６２によって行なわれる。図８に示すようにホルダ６３を介して折返しミラー３７を保持している取付け板５３はその一端に形成されている固定部５４がビス５６によって可動ブロック１６に固定されている。これに対して取付け板５３の自由端側には雌ねじ孔６１が形成され、この雌ねじ孔６１に調整ねじ６２が螺着されかつ先端部が可動ブロック１６の突当て面６７に当接されている。従って調整ねじ６２をねじ込むと取付け板５３の雌ねじ孔６１が形成されている部位が可動ブロック１６の突当て面６７から離間する。これに対して調整ねじ６２を緩めると、取付け板５３の雌ねじ孔６１が形成されている位置が突起面６７に近接する。すなわち調整ねじ６２のねじ込み量を調整することによって、折返しミラー３７のあおり角度を調整できるようになる。
【００３２】
図９において矢印Ａで示す方向に折返しミラー３７のあおり角の調整を行なうと、対物レンズ４１からの出射光は矢印ａで示す方向に振られる。これは光ディスク１３に対して円周方向にビームの角度調整を行なうことを意味する。従って円周方向の垂直な位置になるように調整ねじ６２を調整すればよい。
【００３３】
次に図６に示す固定ねじ６０を緩めるととともに、ホルダ６３を突片６６のところで矢印で示すように支点ピン６４を中心として回動させることにより、図９において矢印Ｂで示す方向に光軸の振れ角を調整できるようになる。矢印Ｂで示す方向に折返しミラー３７を角度調整すると、対物レンズ４１からの出射光は矢印ｂの方向に変化する。この方向は光ディスク１３に対して半径方向のビームの振れとなる。従ってこのビームが半径方向の垂直な位置になるようにホルダ６３を角度調整し、この状態で固定ねじ６０を締付けて固定する。
【００３４】
このように光ディスク１３に対してその円周方向および半径方向にそれぞれ垂直になるように折返しミラー３７の角度を調整したならば、この状態において接着剤７０を図４に示すようにホルダ６３と可動ブロック１６の壁面との間に供給し、これによってこのホルダ６３を可動ブロック１６に固定する。これによって折返しミラー３７が常に光ディスク１３の記録面に対して垂直に光を入射するようになる。
【００３５】
図９における矢印ａ方向および矢印ｂ方向のビームの光ディスク１３に対する角度がずれていると、光軸倒れを発生する。すなわち対物レンズ４１によって円形に絞られたビームスポットが、光ディスク１３の記録面において楕円形の形状で合焦する。ところがこのような楕円形のビームスポットの原因となる光軸倒れは、上述の折返しミラー３７の矢印Ａ方向のあおり角の調整と矢印Ｂ方向の振れ角の調整とを正しく行なうことによって確実に回避される。
【００３６】
このように本実施の形態のディスクプレーヤは、固定ブロック１５側の光ピックアップ装置から可動ブロック１６の光ピックアップ装置へ出射される光の方向、すなわち光軸を調整するために、可動ブロック１６に取付けられた折返しミラー３７を、立上げミラー４０から出射された光が対物レンズ４１および光ディスク１３に対して垂直になるように調整し、調整した後に図４に示すように接着剤７０によって固定するようにしたものである。
【００３７】
板ばねから成る取付け板６３の変形によって図９において矢印Ａ方向に折返しミラー３７を回転調整する。また取付け板５３に対して支点ピン６４を中心として折返しミラー３７を保持するホルダ６３を矢印Ｂの方向に回転させる。これによって３次元的に折返しミラー３７から反射される光の動きを調整することが可能になる。
【００３８】
このように取付け板５３のたわみ変形とホルダ６４の回動とを調整することによって、立上げミラー４０から出射される光の方向を光ディスク１３の記録面に対して垂直な方向に正しく調整できる。そして調整後にホルダ６３の背面と可動ブロック１６の垂直な壁面との間の隙間に接着剤７０を流し込んで充填して接着固定する。これによって光軸倒れが無い状態で折返しミラー３７が正しく調整されて取付けられる。
【００３９】
ＤＶＤのような高密度記録のディスク状記録媒体を用いるディスクプレーヤにおいては、光ピックアップが固定ブロック１５と可動ブロック１６との搭載されるとともに、光軸の調整機構がレーザ光源以外にも反射用ミラーあるいはそれに類する部品での調整が必要となる。本実施の形態はとくに部品点数や設備コストを抑えながらしかも光軸調整機能の搭載を可能にし、とくに対物レンズ４４の下側のスペースに立上げミラー４０の角度調整機能を盛込むことができない薄型のモデルに対して非常に有効な光軸の調整機構を提供するものである。またこの機構は図６〜図８に示すように部品点数が少なく、構造が簡潔であって安価に光軸の調整機構を製作することが可能になる。
【００４０】
なお上記実施の形態においては図２に示す可動ブロック１６側の折返しミラー３７に光軸の角度調整機構を設けたものであるが、このような構成に代えて図２における固定ブロック１５の折返しミラー２８に光軸の角度調整機構を取付けるようにしてもよい。
【００４１】
また上記実施の形態の折返しミラー３７に光軸の角度調整機構を設ける構成は、図１０に示すように固定ブロック１５側に折返しミラー２８を備えない光学系にも適用可能である。この形態においては折返しミラー３７の入射側の光軸の延長上に半導体レーザ２０を含む光源の光軸が一致するように各部品が配列される。このような実施の形態においても折返しミラー３７の光軸の角度調整機構を取付けることによって、上記実施の形態と同様の作用効果が奏される。
【００４２】
以上本願に含まれる発明を図示の実施の形態によって説明したが、本願に含まれる発明は上記実施の形態によって限定されることなく、本願に含まれる発明の技術的思想の範囲内において各種の変更が可能である。例えば上記実施の形態は、ＤＶＤから成るディスク状記録媒体を用いるディスクプレーヤに関するものであるが、本願発明はその他の各種の規格のディスク状記録媒体を用いる光ピックアップ装置あるいはディスク式記録再生装置に広く適用可能である。
【００４３】
【発明の効果】
本願の主要な発明は、ディスク状記録媒体に対して光を照射して信号の記録および／または再生を行なう光ピックアップ装置において、光源からの光をディスク状記録媒体に対して垂直に照射する立上げミラーよりも光源側であって光軸上に調整ミラーを設け、該調整ミラーによってディスク状記録媒体に対する光軸の角度を調整するようにしたものである。
【００４４】
従ってこのような光ピックアップ装置あるいはこの光ピックアップ装置を用いるディスク式記録再生装置によれば、立上げミラーに光軸調整のための機構を設けることなくしかもディスク状記録媒体に対して正しい角度で光を照射することが可能になり、光軸倒れを確実に防止できるようになる。
【００４５】
本願の別の主要な発明は、ディスク状記録媒体に対して光を照射して信号の記録および／または再生を行なう光ピックアップ装置において、ディスク状記録媒体に対して照射する光を発生する光源を備える固定ブロックと、ディスク状記録媒体に対して照射する光をディスク状記録媒体に対して垂直になるように反射する立上げミラーと、該立上げミラーで反射された光がディスク状記録媒体に合焦するように屈折させる対物レンズを有し、ディスク状記録媒体の表面に沿ってほぼ平行に半径方向に移動する可動ブロックと、固定ブロックと可動ブロックの内の何れかに搭載され、ディスク状記録媒体に照射される光の角度を調整する調整ミラーと、を有するものである。
【００４６】
従ってこのような光ピックアップ装置あるいは光ピックアップ装置を備えるディスク式記録再生装置によれば、固定ブロックまたは可動ブロックの内の何れかに搭載された調整ミラーによってディスク状記録媒体に対して正しい角度で光を照射することにより、光軸倒れを補正することが可能になる。
【図面の簡単な説明】
【図１】光ピックアップ装置の構成を示す要部斜視図である。
【図２】同光ピックアップ装置の光学部品の配列を示す要部平面図である。
【図３】可動ブロックの外観斜視図である。
【図４】可動ブロックの底面図である
【図５】折返しミラーの取付けを示す分解斜視図である。
【図６】折返しミラーを取付ける取付け板の平面図である。
【図７】同取付け板の下面に取付けられたホルダの底面図である
【図８】折返しミラーのあおり調整の動作を示す縦断面図である。
【図９】あおり調整と振れ角調整の動作を示す要部斜視図である。
【図１０】変形例の光学部品の配列を示す要部平面図である。
【符号の説明】
１０‥‥シャーシ、１１‥‥センタスピンドル、１２‥‥ターンテーブル、１３‥‥光ディスク、１５‥‥固定ブロック、１６‥‥可動ブロック、２０‥‥半導体レーザ、２１‥‥コリメータレンズ、２２‥‥液晶アッテネータ、２３‥‥アナモプリズム、２４‥‥半波長板、２５‥‥グレーティング、２７‥‥ビームスプリッタ、２８‥‥折返しミラー、３０‥‥コリメータレンズ、３１‥‥ホログラム素子、３２‥‥シリンドリカルレンズ、３３‥‥光検出器（フォトダイオード）、３７‥‥折返しミラー、３８‥‥ビームエキスパンダ、３９‥‥１／４波長板、４０‥‥立上げミラー、４１‥‥対物レンズ、４５、４６‥‥ガイドロッド、４７‥‥モータ、４８‥‥送りねじ、４９‥‥係合板、５３‥‥取付け板、５４‥‥固定部、５５‥‥ビス挿通孔、５６‥‥ビス、５７‥‥切込み、５８‥‥小孔、５９‥‥長孔、６０‥‥固定ねじ、６１‥‥雌ねじ孔、６２‥‥調整ねじ、６３‥‥ホルダ、６４‥‥支点ピン、６５‥‥段部、６６‥‥突片、６７‥‥突当て面、７０‥‥接着剤
【図１】
2005004814.tif 000003
【図２】
2005004814.tif 000004
【図３】
2005004814.tif 000005
【図４】
2005004814.tif 000006
【図５】
2005004814.tif 000007
【図６】
2005004814.tif 000008
【図７】
2005004814.tif 000009
【図８】
2005004814.tif 000010
【図９】
2005004814.tif 000011
【図１０】
2005004814.tif 000012